(57)【要約】【課題】乗員がエアバッグに衝突した時にも、エアバッグの回転する方向への移動を抑制する。【解決手段】エアバッグ４と、エアバッグ４内に設けられ、衝突時にセンサーからの出力信号を受け、折り畳み状態のエアバッグ４にガスを供給して展開させるインフレータ５を備える。エアバッグ４は、例えばシートに内蔵され、衝突時に、運転席のシート３と助手席のシート２の間と、後部シートの座席６ａ，６ｂ間と、後部シートの座席６ａ，６ｂに着座する乗員Ｏの前方で、運転席及び助手席のシート３，２の後方に展開するように、車両の上方から見て十字形に形成されたものである。【効果】乗員がエアバッグに衝突した時に、乗員が運転者だけの場合や、後部シートの座席の乗員が１名の場合でも、ファーサイドのエアバッグの回転方向への移動を阻止でき、エアバッグによる乗員の保護機能を向上できる。【選択図】図１
2016088413.tif 000002
【特許請求の範囲】
【請求項１】
エアバッグと、
前記エアバッグ内に設けられ、側面衝突時にセンサーからの出力信号を受け、折り畳み状態の前記エアバッグにガスを供給して展開させるインフレータと、
を備え、
前記エアバッグは、
衝突時に、運転席のシートと助手席のシートの間と、後部シートの座席間と、後部シートに着座する乗員の前方で、運転席と助手席のシートの後方に展開するように、車両の上方から見て十字形に形成されたものであることを特徴とするエアバッグ装置。
【請求項２】
前記エアバッグは、展開時には、車両の側面から見て、上端が運転席及び助手席のシートと後部シートの座席に着座した乗員の頭部よりも高い位置となるような大きさであることを特徴とする請求項１に記載のエアバッグ装置。
【請求項３】
前記エアバッグは、運転席のシート或いは助手席のシートの背もたれ部における助手席側或いは運転席側に内蔵されていることを特徴とする請求項１又は２に記載のエアバッグ装置。
【請求項４】
前記エアバッグは、運転席のシートと助手席のシートの間のコンソールボックスに内蔵されていることを特徴とする請求項１又は２に記載のエアバッグ装置。
【請求項５】
前記エアバッグは、車両の進行方向の前方から見て左右のシートの間の床部に内蔵されていることを特徴とする請求項１又は２に記載のエアバッグ装置。
【請求項６】
前記エアバッグは、車室の天井の中央部付近に内蔵されていることを特徴とする請求項１又は２に記載のエアバッグ装置。
【請求項７】
前記エアバッグの、後部シートの座席に着座する乗員の前方で、運転席及び助手席のシートの後方に展開する部分は、前記エアバッグの展開時に運転席のシート及び助手席のシートの背もたれ部の後面と接触し、後部シートの座席に着座する乗員の受圧面となることを特徴とする請求項１〜６の何れかに記載のエアバッグ装置。
【発明の詳細な説明】
【技術分野】
【０００１】
本発明は、特に車両が側面から衝突された時（以下、側面衝突時という。）に、乗員の移動を拘束して保護するため、車両に設置されるエアバッグ装置に関するものである。
【背景技術】
【０００２】
前記乗員の移動を拘束するエアバッグ装置として、インフレータから発生するガスにより、例えばシートの背もたれ部（以下、シートバックという。）から車両の前方に向かってエアバッグを展開させるサイドエアバッグ装置がある（例えば特許文献１，２）。
【０００３】
前記サイドエアバッグ装置は、乗員が車両の内側面側（ニアサイド）に移動するのを拘束するものであるが、隣り合うシートの間にエアバッグを展開させて、乗員が車幅方向中央側（ファーサイド）に移動するのを拘束するものもある（例えば特許文献３，４）。
【０００４】
また、近年では、ファーサイドのエアバッグに加えて運転席と助手席のシートのヘッドレストの後方にも後方エアバッグを展開させ、後部シートに着座した乗員が車両の前方へ飛び出すのを防止するエアバッグ装置も提案されている（例えば特許文献５）。
【０００５】
しかしながら、特許文献１〜４で開示されたサイドエアバッグ装置は、展開したエアバッグに乗員が衝突した際の衝撃を、エアバッグの取付け部でのみ受け止めることになる。従って、乗員がエアバッグに衝突した時に、エアバッグには前記取付け部を支点として回転する方向に力が作用する。
【０００６】
特許文献５で提案されたエアバッグ装置も、後部シートに乗員が着座していない場合は後方エアバッグを展開させないので、乗員が衝突した時は、ファーサイドのエアバッグには取付け部を支点として回転する方向に力が作用する。
【０００７】
助手席のシートに乗員が着座していない場合や、後部シートに乗員が１名しか着座していない場合には、特にファーサイドのエアバッグは前記作用する力によって回転する方向に移動し、所期の拘束性能を発揮できなくなって乗員の保護性能が悪くなる。
【先行技術文献】
【特許文献】
【０００８】
【特許文献１】特開平６−６４４９１６号公報
【特許文献２】特開２０１３−１２６８２６号公報
【特許文献３】実開平５−３０５５号公報
【特許文献４】特開２０１０−１１５９６０号公報
【特許文献５】特開２００８−３０８１０２号公報
【発明の概要】
【発明が解決しようとする課題】
【０００９】
本発明が解決しようとする問題点は、助手席のシートに乗員が着座していない場合や、後部シートの乗員が１名の場合には、特にファーサイドのエアバッグは、乗員の衝突によってエアバッグが回転する方向に移動して乗員の保護性能が悪くなるという点である。
【課題を解決するための手段】
【００１０】
本発明は、前記課題を解決し、乗員がエアバッグに衝突した時にも、エアバッグの回転する方向への移動を抑制し、所期の拘束性能を発揮できるようにすることを目的としている。
【００１１】
すなわち、本発明のエアバッグ装置は、
エアバッグと、
前記エアバッグ内に設けられ、側面衝突時にセンサーからの出力信号を受け、折り畳み状態の前記エアバッグにガスを供給して展開させるインフレータと、
を備え、
前記エアバッグは、
衝突時に、運転席のシートと助手席のシートの間と、後部シートの座席間と、後部シートに着座する乗員の前方で、運転席と助手席のシートの後方に展開するように、車両の上方から見て十字形に形成されたものであることを最も主な特徴としている。
【００１２】
本発明は、エアバッグを、衝突時に、運転席のシートと助手席のシートの間と、後部シートの座席間と、後部シートに着座する乗員の前方で、運転席と助手席のシートの後方に展開するように、車両の上方から見て十字形に形成している。
【００１３】
従って、乗員が運転者だけの場合や、後部シートの乗員が１名の場合に、当該乗員がエアバッグに衝突しても、運転席と助手席のシートの後方に展開する部分が運転席と助手席のシートのシートバックの後面で受け止められて、ファーサイドのエアバッグが回転方向に移動するのを阻止する。特に側面からの衝突時に有効である。
【００１４】
本発明において、エアバッグは、車両の側面から見て、上端が運転席のシート、助手席のシート、後部シートに着座した乗員の頭部よりも高い位置となるような大きさとすれば、衝突時における乗員の保護性能がより向上する。
【００１５】
また、エアバッグの、運転席と助手席のシートの後方に展開する部分が、エアバッグの展開時に運転席及び助手席のシートのシートバックの後面と接触して後部シートに着座する乗員の受圧面となるようにしておけば、後部シートに着座する乗員が車両前方に飛び出すのを防止できる。
【００１６】
本発明において、エアバッグを内蔵する場所としては、次の場所が考えられる。
・運転席或いは助手席のシートのシートバックにおける助手席側或いは運転席側
・運転席のシートと助手席のシートの間に設けられたコンソールボックス
・前記コンソールボックスが設けられていない場合は、車両の進行方向の前方から見て左右のシートの間の床部分
・車室の天井の中央部付近
【発明の効果】
【００１７】
本発明では、乗員がエアバッグに衝突した時に、乗員が運転者だけの場合や、後部シートの乗員が１名の場合でも、ファーサイドのエアバッグの回転方向への移動を阻止できるので、側面からの衝突や、スモールオーバーラップの前方衝突等の衝突時に、車両が水平方向に回転するような場合でも、エアバッグによる乗員の保護機能を向上することができる。
【図面の簡単な説明】
【００１８】
【図１】本発明のエアバッグ装置のエアバッグが展開した状態を示した概略図で、（ａ）は車両の上方から見た図、（ｂ）は車両の側面から見た図である。
【図２】本発明のエアバッグ装置を運転席のシートと助手席のシートの間に内蔵する例を示した概略図で、（ａ）はコンソールボックスに内蔵する場合、（ｂ）は床部に内蔵する場合である。
【図３】本発明のエアバッグ装置を車室の天井の中央部付近に内蔵する例を示した概略図で、（ａ）は自動車の平面図、（ｂ）は車室部分の側面図である。
【発明を実施するための形態】
【００１９】
本発明の目的は、乗員がエアバッグに衝突した時にも、エアバッグの回転する方向への移動を抑制し、所期の拘束性能を発揮できるようにすることである。そして、その目的を、側面衝突等の時に、運転席のシートと助手席のシートの間と、後部シートの座席間と、後部シートに着座する乗員の前方で、運転席と助手席のシートの後方に展開するように、エアバッグを車両の上方から見て十字形に形成することで実現した。
【実施例】
【００２０】
以下、本発明のエアバッグ装置の実施例を、図１を用いて説明する。
１は本発明のエアバッグ装置であり、例えば助手席のシート２のシートバック２ａにおける運転席のシート３と相対する側面に、内部にインフレータ５を配置したエアバッグ４を内蔵した構成である。
【００２１】
前記エアバッグ４は、運転席のシート３と助手席のシート２の間と、後部シートの座席６ａ，６ｂ間と、後部シートの座席６ａ，６ｂに着座する乗員Ｏの前方で、運転席のシート３と助手席のシート２の後方にエアバッグ４が展開するように一体形成している。つまり、前記エアバッグ４は、車両の上方から見て十字形に一体形成している（図１（ａ）参照）。
【００２２】
以下、エアバッグ４の、運転席のシート３と助手席のシート２の間に展開する部分を前方ファーサイド部４ａ、後部シートの座席６ａ，６ｂ間に展開する部分を後方ファーサイド部４ｂという。また、後部シートの座席６ａ，６ｂに着座する乗員Ｏの前方で、運転席のシート３と助手席のシート２のシートバック３ａ，２ａの後方に展開する部分を回転阻止部４ｃという。
【００２３】
前記エアバッグ４は、例えば、車両の側面から見て、前方及び後方ファーサイド部４ａ，４ｂ、回転阻止部４ｃの上端が、運転席及び助手席のシート３，２と後部シートの座席６ａ，６ｂに着座した乗員Ｏの頭部Ｏhよりも高い位置となるようにしている（図１（ｂ）参照）。
【００２４】
また、エアバッグ４の前記回転阻止部４ｃは、エアバッグ４の展開時に運転席及び助手席のシート３，２のシートバック３ａ，２ａの後面３ａａ，２ａａと接触し（図１（ｂ）参照）、後部シートの座席６ａ，６ｂに着座する乗員Ｏの受圧面となるようにしている。
【００２５】
一方、前記インフレータ５は、例えば筒形状をなし、側面衝突時にセンサーからの出力信号を受けると、その外側面に設けた噴出孔から前記エアバッグ４の内部にガスを噴出して折り畳み状態のエアバッグ４を展開させる構成である。
【００２６】
前記インフレータ５の外側面には、固定用のスタッドボルトがその長手方向に適宜の間隔を存して例えば２本突き出しており、これらスタッドボルトを用いて、例えば助手席のシート２のシートバック２ａの側端部のフレーム２ａｂに設置する。
【００２７】
上記エアバッグ装置１は、側面衝突時に乗員Ｏがエアバッグ４に衝突した時には、その衝撃を前方ファーサイド部４ａや後方ファーサイド部４ｂで受け止める。その際、本発明では、回転阻止部４ｃが運転席及び助手席のシート３，２のシートバック３ａ，２ａの後面３ａａ，２ａａに接触し、前記前方ファーサイド部４ａや後方ファーサイド部４ｂの回転方向への移動を阻止する。
【００２８】
従って、乗員Ｏが運転者だけの場合や、運転者と後部シートの座席６ａ又は６ｂに乗員Ｏが１名乗っているだけの場合でも、前方ファーサイド部４ａや後方ファーサイド部４ｂの回転方向への移動が抑制され、所期の保護性能を発揮できる。
【００２９】
また、実施例のように、前方ファーサイド部４ａ、後方ファーサイド部４ｂ、回転阻止部４ｃの上端が運転席や助手席のシート３，２、後部シートの座席６ａ，６ｂに着座した乗員Ｏの頭部Ｏhよりも高くすると、側面衝突時に乗員Ｏの保護性能がより向上する。
【００３０】
また、実施例のように、エアバッグ４の回転阻止部４ｃが、後部シートの座席６ａ，６ｂに着座する乗員Ｏの受圧面となるようにしておけば、正面衝突時に、後部シートの座席６ａ，６ｂに着座する乗員Ｏの車両前方への飛び出しを防止することができる。
【００３１】
また、本発明のエアバッグ装置１を、従来の、フロントエアバッグ装置、カーテンエアバッグ装置と共に設けた場合は、これらエアバッグ装置が協働して、前方向と左右方向の３方位について乗員Ｏを保護でき、全ての衝突モードに対応することができる。
【００３２】
本発明は上記の例に限らず、各請求項に記載された技術的思想の範疇であれば、適宜実施の形態を変更しても良いことは言うまでもない。
【００３３】
すなわち、以上で述べたエアバッグ装置は、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中に用いられた表現および用語は説明を目的としたもので、特に限定される主旨のない限り、それに限定されるものではない。
【００３４】
例えば、上記実施例では、エアバッグ１は、助手席のシート２のシートバック２ａにおける運転席のシート３と相対する側面に内蔵したものを説明しているが、運転席のシート３のシートバック３ａにおける助手席のシート２と相対する側面に内蔵してもよい。
【００３５】
また、図２（ａ）に示すように、運転席のシート３と助手席のシート２の間に設けられたコンソールボックス７に内蔵したり、図２（ｂ）に示すように、運転席のシート３と助手席のシート２のように、車両の進行方向の前方から見て左右のシートの間の床部８に内蔵してもよい。また、図３に示すように、車室の天井９の中央部付近に内蔵してもよい。
【００３６】
また、上記実施例では、エアバッグ１は一体形成したものを説明しているが、一体形成と同程度の強度を有するものであれば、一体形成したものでなくてもよい。
【符号の説明】
【００３７】
１    エアバッグ装置
２    助手席のシート
２ａ    シートバック
２ａａ    後面
３    運転席のシート
３ａ    シートバック
３ａａ    後面
４    エアバッグ
４ａ    前方ファーサイド部
４ｂ    後方ファーサイド部
４ｃ    回転阻止部
５    インフレータ
６ａ，６ｂ    後部シートの座席
７    コンソールボックス
８    床部
９    天井
Ｏ    乗員
Ｏh    頭部
【図１】
2016088413.tif 000003
【図２】
2016088413.tif 000004
【図３】
2016088413.tif 000005
【手続補正書】
【提出日】平成26年11月10日(2014.11.10)
【手続補正１】
【補正対象書類名】特許請求の範囲
【補正対象項目名】請求項１
【補正方法】変更
【補正の内容】
【請求項１】
エアバッグと、
前記エアバッグ内に設けられ、衝突時にセンサーからの出力信号を受け、折り畳み状態の前記エアバッグにガスを供給して展開させるインフレータと、
を備え、
前記エアバッグは、
衝突時に、運転席のシートと助手席のシートの間と、後部シートの座席間と、後部シートに着座する乗員の前方で、運転席と助手席のシートの後方に展開するように、車両の上方から見て十字形に形成されたものであることを特徴とするエアバッグ装置。
【手続補正２】
【補正対象書類名】明細書
【補正対象項目名】００１１
【補正方法】変更
【補正の内容】
【００１１】
すなわち、本発明のエアバッグ装置は、
エアバッグと、
前記エアバッグ内に設けられ、衝突時にセンサーからの出力信号を受け、折り畳み状態の前記エアバッグにガスを供給して展開させるインフレータと、
を備え、
前記エアバッグは、
衝突時に、運転席のシートと助手席のシートの間と、後部シートの座席間と、後部シートに着座する乗員の前方で、運転席と助手席のシートの後方に展開するように、車両の上方から見て十字形に形成されたものであることを最も主な特徴としている。
【手続補正３】
【補正対象書類名】明細書
【補正対象項目名】００２５
【補正方法】変更
【補正の内容】
【００２５】
一方、前記インフレータ５は、例えば筒形状をなし、側面衝突時等にセンサーからの出力信号を受けると、その外側面に設けた噴出孔から前記エアバッグ４の内部にガスを噴出して折り畳み状態のエアバッグ４を展開させる構成である。
【手続補正４】
【補正対象書類名】明細書
【補正対象項目名】００２７
【補正方法】変更
【補正の内容】
【００２７】
上記エアバッグ装置１は、側面衝突時等に乗員Ｏがエアバッグ４に衝突した時には、その衝撃を前方ファーサイド部４ａや後方ファーサイド部４ｂで受け止める。その際、本発明では、回転阻止部４ｃが運転席及び助手席のシート３，２のシートバック３ａ，２ａの後面３ａａ，２ａａに接触し、前記前方ファーサイド部４ａや後方ファーサイド部４ｂの回転方向への移動を阻止する。